(57)【要約】【課題】省スペースかつ低コストで快適性の高い車室内空調を効率よく行うことの可能な車室内空調システムを提供する。【解決手段】車室内の空調を行うための空調装置と共に車両に搭載される車室内空調システム１は、１つまたは複数のイオン風発生装置１０を備えている。そのイオン風発生装置１０は、空調装置の吹出口３、４、５、８から吹き出された空調風が流れる位置に設置され、その空調風が車室内の内装表面に沿って流れるようにコロナ放電による気流を生成する。【選択図】図１
2019188864.tif 000002
【特許請求の範囲】
【請求項１】
車室内の空調を行うための空調装置と共に車両に搭載される車室内空調システムであって、
空調装置の吹出口（３、４、５、８）から吹き出された空調風が流れる位置に設置され、その空調風が車室内の内装表面に沿って流れるようにコロナ放電による気流を生成する１つまたは複数のイオン風発生装置（１０、１０ａ〜１０ｑ）を備える車室内空調システム。
【請求項２】
複数の前記イオン風発生装置は、
前記空調装置の前記吹出口から吹き出された空調風が直接当たる位置に設置される所定のイオン風発生装置（１０ａ、１０ｆ、１０ｈ）と、
前記所定のイオン風発生装置により生成された気流により空調風が流れる位置に設置される別のイオン風発生装置（１０ｂ〜１０ｅ、１０ｇ、１０ｉ〜１０ｑ）とを含んでいる、請求項１に記載の車室内空調システム。
【請求項３】
複数の前記イオン風発生装置は、前席（６）に着座する乗員の足を取り巻くような還流または渦流を形成するように、車室内の内装表面のうち前記前席に着座する乗員の足の周囲に設置される、請求項１または２に記載の車室内空調システム。
【請求項４】
複数の前記イオン風発生装置は、前記空調装置の前記吹出口から吹き出された空調風を後席空間（ＲＳ）に届けるように、車室内天井（９）の内装表面に設置される、請求項１または２に記載の車室内空調システム。
【請求項５】
複数の前記イオン風発生装置は、
前記空調装置の前記吹出口から吹き出された空調風をラゲージルーム（ＬＲ）に届けるように、車室内天井の内装表面に設置される天井側イオン風発生装置（１０ｈ〜１０ｊ）と、
前記ラゲージルーム内を循環するような気流を形成するように、前記ラゲージルームの内装表面に設置されるラゲージルーム側イオン風発生装置（１０ｋ〜１０ｑ）と、を含んでいる、請求項１または２に記載の車室内空調システム。
【請求項６】
前記イオン風発生装置は、車室内の臭気を除去可能な微量のオゾンを生成可能に調整されている、請求項１ないし５のいずれか１つに記載の車室内空調システム。
【請求項７】
前記イオン風発生装置は、空気入口（１４）および空気出口（１５）を有する筐体（１１）と、その筐体の内側に設けられる放電電極（１２）および接地電極（１３）とを有するものであり、
前記イオン風発生装置が設置される場所からイオン風が流れる場所に亘って設けられる内装表面（４０）は、非帯電材料により形成されたものであり、前記接地電極が電気的に接続される車両のグランド（３０）に電気的に接続されている、請求項１ないし６のいずれか１つに記載の車室内空調システム。
【請求項８】
前記筐体は、非帯電材料により形成され、前記接地電極に電気的に接続されており、
前記イオン風発生装置が設置される場所からイオン風が流れる場所に亘って設けられる内装表面は、前記筐体に電気的に接続されている、請求項７に記載の車室内空調システム。
【発明の詳細な説明】
【技術分野】
【０００１】
本発明は、車室内を空調する車室内空調システムに関し、特に、コロナ放電によりイオン風を発生させるイオン風発生装置を用いた車室内空調システムに関するものである。
【背景技術】
【０００２】
特許文献１には、車室内に設置された座席の下に搭載される暖房装置が記載されている。この暖房装置は、空気が流れる送風路を形成する送風部と、その送風部の内側に設けられる送風機と、送風路を流れる空気を温めるためのヒータなどを備えている。この暖房装置は、ヒータによって温められた温風を送風部の吹出口から前席に着座する乗員の足元に向けて吹き出すことで、その乗員の足元を暖房するものである。
【先行技術文献】
【特許文献】
【０００３】
【特許文献１】特許第５８２４６７５号公報
【発明の概要】
【発明が解決しようとする課題】
【０００４】
しかしながら、特許文献１に記載の暖房装置は、送風部の吹出口から吹き出された温風が車室内空間で拡散し、乗員の足元から上昇してゆくことが考えられる。その場合、乗員を十分に暖房するために暖房装置から吹き出す温風の風量を増やすと、暖房効率が悪化することが懸念される。
【０００５】
また、この暖房装置は、送風路、送風機およびヒータ等の構成部品を備えているので、体格が大型化し、この暖房装置を搭載するために広い搭載スペースが必要となる。また、この暖房装置は、部品点数が多いため、製造コストが高いものとなる。
【０００６】
さらに、この暖房装置は、車種毎に異なる座席下の搭載スペースに応じた個別の設計が必要である。また、この暖房装置は、車両のモデルチェンジ等に応じた設計変更にかかる時間とコストが増大することが懸念される。
【０００７】
本発明は上記点に鑑みて、省スペースかつ低コストで快適性の高い車室内空調を効率よく行うことの可能な車室内空調システムを提供することを目的とする。
【課題を解決するための手段】
【０００８】
上記目的を達成するため、請求項１に係る発明は、車室内の空調を行うための空調装置と共に車両に搭載される車室内空調システムは、１つまたは複数のイオン風発生装置（１０、１０ａ〜１０ｑ）を備えている。そのイオン風発生装置は、空調装置の吹出口（３、４、５、８）から吹き出された空調風が流れる位置に設置され、その空調風が車室内の内装表面に沿って流れるようにコロナ放電による気流を生成する。
【０００９】
これによれば、空調装置の吹出口から吹き出された空調風は、イオン風発生装置が生成する気流（すなわち、イオン風）により車室内の内装表面に沿って流れるので、車室内に拡散することが抑制される。そのため、この車室内空調システムは、空調装置の吹出口から吹き出された空調風を、目的とする場所に効率的に届けることや、目的とする場所で滞留させることが可能である。したがって、この車室内空調システムは、車室内の空調を効率よく行うことができる。
【００１０】
また、この車室内空調システムは、ダクト等を用いることなく、空調風を目的とする場所に届けることや、目的とする場所で滞留させることが可能である。そのため、この車室内空調システムは、車室内空間を狭くすることのない省スペース、且つ、低コストで快適性の高い空調を行うことができる。
【００１１】
さらに、この車室内空調システムは、車室内の任意の場所に１つまたは複数のイオン風発生装置を設置することで構成されるので、設計の自由度が高い。したがって、この車室内空調システムは、種々の車種に対して容易に搭載可能であり、且つ、車両のモデルチェンジ等にも容易に対応することが可能である。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る車室内空調システムの構成を示す図である。
【図２】車室内空調システムが備えるイオン風発生装置の斜視図である。
【図３】第２実施形態に係る車室内空調システムの構成を示す図である。
【図４】第３実施形態に係る車室内空調システムの構成を示す図である。
【図５】第３実施形態に係る車室内空調システムの構成を示す図である。
【図６】第４実施形態に係る車室内空調システムが備えるイオン風発生装置の斜視図である。
【図７】第５実施形態に係る車室内空調システムが備えるイオン風発生装置の斜視図である。
【発明を実施するための形態】
【００１４】
以下、本発明の実施形態について図面を参照しつつ説明する。なお、以下の各実施形態相互において、互いに同一もしくは均等である部分には、同一符号を付し、その説明を省略する。
【００１５】
（第１実施形態）
第１実施形態について図１および図２を参照しつつ説明する。第１実施形態の車室内空調システム１は、車室内の空調を行うための図示しない空調装置と共に車両に搭載され、車室内の所定の場所の空調を行うことに用いられるものである。
【００１６】
車室内の空調を行うための空調装置は、ダッシュボード２の内側に搭載されている。空調装置は、冷風または温風（以下「空調風」という）を生成し、その空調風を車室内に設けられた複数の吹出口から車室内に吹き出すものである。複数の吹出口は、ダッシュボード２に設けられたフェイス吹出口３およびデフロスタ吹出口４、並びに、ダッシュボード２の下に設けられたフット吹出口５などを含んでいる。フェイス吹出口３は、前席６に着座する乗員の上半身に向けて空調風を吹き出すものである。デフロスタ吹出口４は、車両のフロントガラスの内側に空調風を吹き出すものである。フット吹出口５は、前席６に着座する乗員の下半身に向けて空調風を吹き出すものである。
【００１７】
第１実施形態の車室内空調システム１は、複数のイオン風発生装置１０を備えている。その複数のイオン風発生装置１０は、空調装置のフット吹出口５から吹き出された空調風が流れる位置に設置され、その空調風が車室内の内装表面に沿って流れるようにコロナ放電による気流（すなわち、イオン風）を生成するものである。
【００１８】
まず、イオン風発生装置１０の構成および作動について説明する。図２に示すように、イオン風発生装置１０は、筐体１１、放電電極１２および接地電極１３などを有している。筐体１１は、絶縁体または非絶縁体により箱状に形成されている。筐体１１は、外部の空気を筐体１１の内側に取り入れるための空気入口１４と、筐体１１の内側から空気を吹き出すための空気出口１５を有している。なお、図２では、外部から筐体１１の空気入口１４に取り入れられる空気を矢印ＡＦ１で示し、空気出口１５から外部に吹き出される空気を矢印ＡＦ２で示している。
【００１９】
放電電極１２と接地電極１３は、筐体１１の内側に収容されている。放電電極１２は、放電電極本体から空気出口１５側に突出する複数の放電突起１２１を有している。放電電極１２と接地電極１３は、放電突起１２１と接地電極１３との間にコロナ放電を発生可能なように所定の間隔をあけて設置されている。
【００２０】
放電電極１２は、電源装置２０の一方の端子２１に電気的に接続され、接地電極１３は、電源装置２０の他方の端子２２に電気的に接続されている。また、接地電極１３は、車両のグランド３０にも電気的に接続されている。電源装置２０から放電電極１２に数ｋＶ（例えば−４ｋＶ）の電圧が印加されると、放電電極１２が有する放電突起１２１の先端の周囲に電界が集中してコロナ放電が発生し、その放電突起１２１の周囲にある空気分子が電離してイオンに分解される。空気中のイオンのうち、放電電極１２と同極性のイオンが電界で加速され、周囲の空気分子と衝突しながら周囲の空気を巻き込んでイオン風を発生する。これにより、空気出口１５からイオン風が吹き出される。
【００２１】
なお、第１実施形態のイオン風発生装置１０は、車室内の臭気を除去可能な微量のオゾンを生成可能なように調整されている。具体的には、イオン風発生装置１０は、電源装置２０から放電電極１２に対し、通常のイオン風を生成するときの電圧よりも高い電圧（例えば−７ｋＶ）が印加されると、空気の反応が進んでオゾンが生成されるように電極間距離などが調整されている。これにより、イオン風発生装置１０は、空気出口１５から吹き出されるオゾンを含んだイオン風により、車室内の臭気を除去することができる。
【００２２】
次に、複数のイオン風発生装置１０の配置およびその作用について説明する。図１に示すように、複数のイオン風発生装置１０は、前席６に着座する乗員の足を取り巻くような還流または渦流を形成するように、車室内の内装表面のうち前席６に着座する乗員の足の周囲に設置されている。なお、イオン風発生装置１０の個数や配置は、図に示したものに限定されるものでなく、車室内の形状および大きさなどに応じて任意に設定することが可能である。なお、このことは、後述する複数の実施形態においても同じである。
【００２３】
図１では、車両左側の前席６に着座する乗員の足の周囲に配置される５個のイオン風発生装置１０を例示している。以下の説明では、説明の便宜上、５個のイオン風発生装置１０を、第１〜第５イオン風発生装置１０ａ〜ｅと呼び、符号の末尾にそれぞれａ〜ｅを付すこととする。
【００２４】
第１イオン風発生装置１０ａと第２イオン風発生装置１０ｂは、内装表面のうち、床面からダッシュボード２側に立ち上がる部位に設けられている。第３イオン風発生装置１０ｃと第４イオン風発生装置１０ｄは、内装表面のうち、図示していないドアの内側に設けられている。また、第５イオン風発生装置１０ｅは、内装表面のうち、ダッシュボード２の下側に設けられている。
【００２５】
図１では、第１〜第５イオン風発生装置１０ａ〜１０ｅで生成される気流が流れる状態を、模式的に一点鎖線の矢印ＡＦ３で示している。また、空調装置のフット吹出口５から吹き出される温かい空調風（以下、「暖房風」という）を、実線の矢印ＡＦ４で示している。その空調装置のフット吹出口５から吹き出される暖房風は、第１イオン風発生装置１０ａに吸い込まれ、その第１イオン風発生装置１０ａで生成される気流により加速されて、第２イオン風発生装置１０ｂに向けて吹き出される。なお、空調装置のフット吹出口５から吹き出される暖房風のうち、第１イオン風発生装置１０ａの周囲を流れる風も、コアンダ効果により、第１イオン風発生装置１０ａで生成される気流と一緒に第２イオン風発生装置１０ｂに向けて流れる。
【００２６】
第１イオン風発生装置１０ａから吹き出された気流は、内装表面に沿って流れ、第２イオン風発生装置１０ｂに吸い込まれる。そして、その第２イオン風発生装置１０ｂで生成される気流により加速され、床面およびドア内壁などの内装表面に沿って第３イオン風発生装置１０ｃに向けて流れる。このように、空調装置のフット吹出口５から吹き出される暖房風は、第１イオン風発生装置１０ａ→第２イオン風発生装置１０ｂ→第３イオン風発生装置１０ｃ→第４イオン風発生装置１０ｄ→第５イオン風発生装置１０ｅ→第１イオン風発生装置１０ａ・・・のように循環し、前席６に着座する乗員の足を取り巻くような還流または渦流を形成する。したがって、空調装置のフット吹出口５から吹き出された暖房風は、その複数のイオン風発生装置１０により形成される還流または渦流により、乗員の足元の空間ＦＳで渦流または還流等の流れ形状となって滞留する。
【００２７】
なお、上述した第１イオン風発生装置１０ａは、空調装置の吹出口から吹き出された空調風が直接当たる位置に設置されるので、特許請求の範囲に記載の「所定のイオン風発生装置」の一例に相当する。また、第２〜第５イオン風発生装置１０ｂ〜１０ｅは、それぞれの上流側に配置されたイオン風発生装置１０により生成された気流によって空調風が流れる位置に設置されるので、特許請求の範囲に記載の「別のイオン風発生装置」の一例に相当する。
【００２８】
上述したように、第１実施形態のイオン風発生装置１０は、放電電極１２に印加される電圧等の調整により、オゾンを容易に生成可能である。そのため、この車室内空調システム１は、イオン風発生装置１０から必要に応じてオゾンを吹き出し、そのオゾンを乗員の足元の空間ＦＳで滞留させることで、乗員の足元の空間ＦＳの臭気を除去することができる。
【００２９】
以上説明した第１実施形態の車室内空調システム１は、次の作用効果を奏するものである。
【００３０】
（１）第１実施形態の車室内空調システム１が備える複数のイオン風発生装置１０は、空調装置のフット吹出口５から吹き出された空調風が流れる位置に設置され、その空調風が車室内の内装表面に沿って流れるように気流を生成する。これにより、空調装置の吹出口から吹き出された空調風は、イオン風発生装置１０が生成する気流により車室内の内装表面に沿って流れるので、車室内に拡散することが抑制される。そのため、この車室内空調システム１は、空調装置のフット吹出口５から吹き出された空調風を、乗員の足元の空間ＦＳで滞留させることが可能である。したがって、この車室内空調システム１は、車室内の空調を効率よく行うことができる。
【００３１】
（２）また、第１実施形態の車室内空調システム１は、ダクト等を用いることの無い簡素な構成で、空調風を乗員の足元の空間ＦＳで滞留させることが可能である。そのため、この車室内空調システム１は、車室内空間を狭くすることのない省スペース、且つ、低コストで快適性の高い空調を行うことができる。
【００３２】
（３）さらに、第１実施形態の車室内空調システム１は、車室内の任意の場所にイオン風発生装置１０を設置することで構成されるので、設計の自由度が高い。したがって、この車室内空調システム１は、種々の車種に対して容易に搭載可能であり、且つ、車両のモデルチェンジ等にも容易に対応することが可能である。
【００３３】
（４）第１実施形態では、第１イオン風発生装置１０ａは、空調装置のフット吹出口５から吹き出された空調風が直接当たる位置に設置される。第２〜第５イオン風発生装置１０ｂ〜１０ｅは、それぞれの上流側に配置されたイオン風発生装置１０により生成される気流によって空調風が流れる位置に設置される。これにより、第１〜第５イオン風発生装置１０ａ〜１０ｅは、空調風を順次送るように配置される。そのため、車室内空調システム１は、複数のイオン風発生装置１０を使って、空調風を渦流または還流等の所定の流れ形状にすることで、乗員の足元の空間ＦＳなど目的の場所で空調風を滞留させることができる。
【００３４】
（５）第１実施形態では、複数のイオン風発生装置１０は、前席６に着座する乗員の足を取り巻くような還流または渦流を形成するように、車室内の内装表面のうち前席６に着座する乗員の足の周囲に設置される。これにより、空調装置のフット吹出口５から吹き出される暖房風は、複数のイオン風発生装置１０により形成される還流または渦流により、乗員の足元の空間ＦＳで渦流または還流等の所定の流れ形状となって滞留する。そのため、乗員の足元の空間ＦＳから暖房風が上昇することが抑制されるので、少ない暖房風で乗員の足元を効率的に暖房することができる。
【００３５】
ところで、従来は、空調装置のフット吹出口５から吹き出された暖房風が上昇すると、乗員の頭部が暑くなってしまうので、乗員の頭部に向けて冷風を吹き出すなどの対策が取られる場合があった。これに対し、この車室内空調システム１は、乗員の足元の空間ＦＳから暖房風が上昇することが抑制されるので、乗員の頭部を冷やすための冷風を吹き出す必要が無くなるため、乗員の快適性を省エネルギーにより確保することができる。
【００３６】
（６）第１実施形態では、イオン風発生装置１０は、車室内の臭気を除去可能な微量のオゾンを生成可能に調整されている。これにより、イオン風発生装置１０は、放電電極１２に印加される電圧等の調整により、オゾンを容易に発生させることが可能である。そのため、この車室内空調システム１は、乗員の足元の空間ＦＳなど、車室内の所定の場所の臭気を除去することで、車室内の快適性を高めることができる。
【００３７】
（第２実施形態）
第２実施形態について説明する。第２実施形態は、第１実施形態に対して複数のイオン風発生装置１０の配置などを変更したものであり、その他については第１実施形態と同様であるため、第１実施形態と異なる部分についてのみ説明する。
【００３８】
図３に示すように、第２実施形態の車室内空調システム１は、車室内の空調を行うための空調装置から吹き出された空調風を後席空間ＲＳに届けることで、後席空間ＲＳの空調に用いられるものである。なお、後席空間ＲＳとは、車両の前席６よりも後方で後席７が配置される周囲の空間をいう。
【００３９】
第２実施形態では、車室内に、車室内空調システム１による後席空間ＲＳの空調に用いるための専用吹出口８が設けられている。専用吹出口８は、例えば、ダッシュボード２のうち、フェイス吹出口３の上側に設けられている。専用吹出口８は、空調装置が生成した空調風を、車室内天井９に向けて吹き出すように構成されている。
【００４０】
第２実施形態の車室内空調システム１も、複数のイオン風発生装置１０を備えている。その複数のイオン風発生装置１０は、空調装置の専用吹出口８から吹き出された空調風が流れる位置に設置され、その空調風が車室内天井９の内装表面に沿って流れるように気流を生成するものである。
【００４１】
次に、複数のイオン風発生装置１０の配置およびその作用について説明する。複数のイオン風発生装置１０は、空調装置の専用吹出口８から吹き出された空調風を後席空間ＲＳに届けるように、車室内天井９の内装表面に設置されている。図３では、車室内天井９の内装表面に設置される２個のイオン風発生装置１０を例示している。以下の説明では、説明の便宜上、２個のイオン風発生装置１０を、車両前方側から第１イオン風発生装置１０ｆ、第２イオン風発生装置１０ｇと呼び、符号の末尾にそれぞれｆ、ｇを付すこととする。
【００４２】
第１イオン風発生装置１０ｆは、車室内天井９の内装表面のうち、フロントウィンドより上方のサンバイザーの近くに設けられている。第２イオン風発生装置１０ｇは、車室内天井９の内装表面のうち、第１イオン風発生装置１０ｆの後方に設けられている。
【００４３】
図３では、空調装置の専用吹出口８から吹き出される空調風が、第１イオン風発生装置１０ｆと第２イオン風発生装置１０ｇで生成される気流により後席空間ＲＳへ届けられる状態を、模式的に一点鎖線の矢印ＡＦ５で示している。空調装置の専用吹出口８から吹き出される空調風は、第１イオン風発生装置１０ｆに吸い込まれ、その第１イオン風発生装置１０ｆで生成される気流により加速されて、第２イオン風発生装置１０ｇに向けて吹き出される。なお、空調装置の専用吹出口８から吹き出される空調風のうち、第１イオン風発生装置１０ｆの近傍を流れる風も、コアンダ効果により、第１イオン風発生装置１０ｆで生成される気流と一緒に第２イオン風発生装置１０ｇに向けて流れる。第１イオン風発生装置１０ｆから車室内天井９の内装表面に沿って流れる空調風は、第２イオン風発生装置１０ｇに吸い込まれる。そして、その第２イオン風発生装置１０ｇで生成される気流により加速され、車室内天井９の内装表面に沿って後席空間ＲＳに向けて流れる。これにより、空調装置の専用吹出口８から吹き出された空調風は、後席空間ＲＳに届けられる。
【００４４】
なお、上述した第１イオン風発生装置１０ｆは、空調装置の吹出口から吹き出された空調風が直接当たる位置に設置されるので、特許請求の範囲に記載の「所定のイオン風発生装置」の一例に相当する。また、第２イオン風発生装置１０ｇは、第１イオン風発生装置１０ｆにより生成された気流により空調風が流れる位置に設置されるので、特許請求の範囲に記載の「別のイオン風発生装置」の一例に相当する。
【００４５】
第２実施形態のイオン風発生装置１０も、放電電極１２に印加される電圧等の調整により、オゾンを容易に生成可能である。そのため、イオン風発生装置１０から吹き出されたオゾンを後席空間ＲＳに供給することで、後席空間ＲＳの臭気を除去することができる。
【００４６】
以上説明した第２実施形態の車室内空調システム１は、次の作用効果を奏するものである。
【００４７】
（１）第２実施形態の車室内空調システム１が備えるイオン風発生装置１０は、空調装置の専用吹出口８から吹き出された空調風が流れる車室内天井９に設置され、その空調風が車室内天井９の内装表面に沿って流れるように気流を生成する。これにより、空調装置の専用吹出口８から吹き出された空調風は、イオン風発生装置１０が生成する気流により車室内天井９の内装表面に沿って流れるので、車室内に拡散することが抑制される。そのため、この車室内空調システム１は、空調装置の吹出口から吹き出された空調風を、後席空間ＲＳに効率的に届けることが可能である。したがって、この車室内空調システム１は、後席空間ＲＳの空調を効率よく行うことができる。
【００４８】
（２）また、第２実施形態の車室内空調システム１は、車室内にダクト等を設置することの無い簡素な構成で、空調風を後席空間ＲＳに届けることが可能である。そのため、この車室内空調システム１は、車室内空間を狭くすることのない省スペース、且つ、低コストで快適性の高い空調を行うことができる。
【００４９】
（３）第２実施形態では、第１イオン風発生装置１０ｆは、空調装置の専用吹出口８から吹き出された空調風が直接当たる位置に設置される。第２イオン風発生装置１０ｇは、第１イオン風発生装置１０ｆにより生成された気流により空調風が流れる位置に設置される。これにより、第１イオン風発生装置１０ｆと第２イオン風発生装置１０ｇは、空調風を順次送るように配置される。そのため、車室内空調システム１は、複数のイオン風発生装置１０を使って、空調風を車室内の内装表面に沿って後席空間ＲＳなど目的とする場所まで順次送ることができる。
【００５０】
（４）その他、第２実施形態の車室内空調システム１も、第１実施形態と同様の作用効果を奏することができる。
【００５１】
（第３実施形態）
第３実施形態について説明する。第３実施形態も、第１実施形態等に対して複数のイオン風発生装置１０の配置などを変更したものであり、その他については第１実施形態等と同様であるため、第１実施形態等と異なる部分についてのみ説明する。
【００５２】
図４および図５に示すように、第３実施形態の車室内空調システム１は、車室内の空調を行うための空調装置から吹き出された空調風をラゲージルームＬＲに届けることで、ラゲージルームＬＲの空調に用いられるものである。なお、ラゲージルームＬＲとは、車両の後席７よりも後方で荷物を搭載可能な空間をいう。第３実施形態でも、空調装置は、第２実施形態と同様に、専用吹出口８を有している。
【００５３】
第３実施形態の車室内空調システム１も、複数のイオン風発生装置１０を備えている。複数のイオン風発生装置１０は、天井側イオン風発生装置１０ｈ〜１０ｊおよびラゲージルーム側イオン風発生装置１０ｋ〜１０ｑを含んでいる。天井側イオン風発生装置１０ｈ〜１０ｊは、空調装置の専用吹出口８から吹き出された空調風をラゲージルームＬＲに届けるように、車室内天井９の内装表面に設置されるものである。ラゲージルーム側イオン風発生装置１０ｋ〜１０ｑは、ラゲージルームＬＲ内を循環するような気流を形成するように、ラゲージルームＬＲの内装表面に設置されるものである。
【００５４】
図４では、車室内天井９の内装表面に設置される３個の天井側イオン風発生装置１０ｈ〜１０ｊと、ラゲージルームＬＲの内装表面に設置される複数のラゲージルーム側イオン風発生装置１０ｋ〜１０ｑの一部を例示している。以下の説明では、説明の便宜上、３個の天井側イオン風発生装置１０ｈ〜１０ｊを、車両前方側から第１〜第３イオン風発生装置１０ｈ〜１０ｊと呼び、符号の末尾にそれぞれｈ、ｉ、ｊを付すこととする。
【００５５】
第１イオン風発生装置１０ｈは、車室内天井９の内装表面のうち、フロントウィンド上部のサンバイザーの近くに設けられている。第２イオン風発生装置１０ｉは、車室内天井９の内装表面のうち、第１イオン風発生装置１０ｈの後方に設けられている。第３イオン風発生装置１０ｊは、車室内天井９の内装表面のうち、第２イオン風発生装置１０ｉの後方に設けられている。
【００５６】
図５では、ラゲージルームＬＲの内装表面に設置される７個のラゲージルーム側イオン風発生装置１０ｋ〜１０ｑを例示している。以下の説明では、説明の便宜上、７個のラゲージルーム側イオン風発生装置１０ｋ〜１０ｑを、第４〜第１０イオン風発生装置１０ｋ〜１０ｑと呼び、符号の末尾にそれぞれｋ〜ｑを付すこととする。第４〜第１０イオン風発生装置１０ｋ〜１０ｑは、ラゲージルームＬＲを取り囲むように配置されている。
【００５７】
図４では、空調装置の専用吹出口８から吹き出された空調風が、第１〜第３イオン風発生装置１０ｈ〜１０ｊで生成される気流によりラゲージルームＬＲへ届けられる状態を、模式的に一点鎖線の矢印ＡＦ６で示している。空調装置の専用吹出口８から吹き出される空調風は、第１イオン風発生装置１０ｈ→第２イオン風発生装置１０ｉ→第３イオン風発生装置１０ｊの順に、車室内天井９の内装表面に沿ってラゲージルームＬＲに届けられる。
【００５８】
また、図４および図５では、ラゲージルームＬＲへ届けられた空調風が、第４〜第１０イオン風発生装置１０ｋ〜１０ｑで生成される気流によりラゲージルームＬＲを循環する状態を、模式的に一点鎖線の矢印ＡＦ７で示している。第４〜第１０イオン風発生装置１０ｋ〜１０ｑでそれぞれ発生する気流は、第４イオン風発生装置１０ｋ→第５イオン風発生装置１０ｌ→・・・→第１０イオン風発生装置１０ｑ→第４イオン風発生装置１０ｋの順に流れ、ラゲージルームＬＲの内装表面に沿って循環する。そのため、空調装置の専用吹出口８から吹き出されて第１〜第３イオン風発生装置１０ｈ〜１０ｊで生成される気流によりラゲージルームＬＲへ届けられた空調風は、第４〜第１０イオン風発生装置１０ｋ〜１０ｑにより形成される気流により、ラゲージルームＬＲの内装表面に沿う渦流または還流等の流れ形状となって滞留する。
【００５９】
なお、上述した第１イオン風発生装置１０ｈは、空調装置の吹出口から吹き出された空調風が直接当たる位置に設置されるので、特許請求の範囲に記載の「所定のイオン風発生装置」の一例に相当する。また、第２〜第１０イオン風発生装置１０ｉ〜１０ｑは、それぞれの上流側に配置されたイオン風発生装置１０により生成された気流により空調風が流れる位置に設置されるので、特許請求の範囲に記載の「別のイオン風発生装置」の一例に相当する。
【００６０】
第３実施形態のイオン風発生装置１０も、放電電極１２に印加される電圧等の調整により、オゾンを容易に生成可能である。そのため、イオン風発生装置１０から吹き出されたオゾンをラゲージルームＬＲで滞留させることで、ラゲージルームＬＲの臭気を除去することができる。
【００６１】
以上説明した第３実施形態の車室内空調システム１は、次の作用効果を奏するものである。
【００６２】
（１）第３実施形態の車室内空調システム１が備える天井側イオン風発生装置１０ｈ〜１０ｊは、空調装置の専用吹出口８から吹き出された空調風が流れる車室内天井９に設置され、その空調風が車室内天井９の内装表面に沿って流れるように気流を生成する。また、ラゲージルーム側イオン風発生装置１０ｋ〜１０ｑは、ラゲージルームＬＲを取り囲むように配置され、ラゲージルームＬＲ内を循環するような気流を生成する。
【００６３】
これによれば、空調装置の専用吹出口８から吹き出された空調風は、天井側イオン風発生装置１０ｈ〜１０ｊにより形成される気流により、車室内天井９の内装表面に沿ってラゲージルームＬＲに送られる。そして、ラゲージルームＬＲに届けられた空調風は、ラゲージルーム側イオン風発生装置１０ｋ〜１０ｑにより形成されたラゲージルームＬＲ内を循環するような気流により、ラゲージルームＬＲ内で渦流または還流等の所定の流れ形状となって滞留する。そのため、この車室内空調システム１は、例えば夏季などに、空調装置の専用吹出口８から吹き出された冷房風をラゲージルームＬＲ内に送り、そこで滞留させることで、ラゲージルームＬＲ内に搭載した荷物の温度の上昇を抑えることができる。
【００６４】
（２）また、第３実施形態の車室内空調システム１も、車室内にダクト等を設置することの無い簡素な構成で、空調風をラゲージルームＬＲに届けることが可能である。そのため、この車室内空調システム１は、車室内空間を狭くすることのない省スペース、且つ、低コストで快適性の高い空調を行うことができる。
【００６５】
（３）その他、第３実施形態の車室内空調システム１も、第１実施形態等と同様の作用効果を奏することができる。
【００６６】
（第４実施形態）
第４実施形態について説明する。第４実施形態は、第１実施形態等に対してイオン風発生装置１０が設置される車室内の内装表面の構成を変更したものであり、その他については第１実施形態等と同様であるため、第１実施形態等と異なる部分についてのみ説明する。
【００６７】
図６に示すように、第４実施形態では、イオン風発生装置１０が設置される場所からイオン風が流れる場所に亘って設けられる内装表面４０が、非帯電材料により形成されている。本明細書において、非帯電材料とは、静電気が帯電しない材料であり、具体的には表面抵抗率が１ＧΩ／□以下の材料をいう。非帯電材料として、例えば、樹脂とカーボンとを混合した材料が例示される。この内装表面４０は、接地電極１３が電気的に接続される車両のグランド３０に対して配線４１を介して電気的に接続されている。これにより、内装表面４０と接地電極１３とは同電位となる。
【００６８】
イオン風発生装置１０の構成は、図２で示したものと同一である。なお、図６では、説明の便宜上、筐体１１の一部を切り欠いて示している。電源装置２０から放電電極１２に数ｋＶ（例えば−４ｋＶ）の電圧が印加されると、放電電極１２が有する放電突起１２１の先端の周囲に電界が集中してコロナ放電が発生する。そして、その放電突起１２１の周囲にある空気分子が電離してイオンに分解される。空気中のイオンのうち、放電電極１２と同極性のイオンが電界で加速され、周囲の空気分子と衝突しながら周囲の空気を巻き込んでイオン風を発生する。これにより、空気出口１５からイオン風が吹き出される。
【００６９】
ここで、上述したように、第４実施形態では、接地電極１３と内装表面４０とが同電位となっている。これにより、イオン風発生装置１０から吹き出されるイオン風は、電気力により内装表面４０に引き付けられる。そのため、この車室内空調システム１は、イオン風発生装置１０から吹き出される気流が内装表面４０に沿って強く流れる領域を広げることが可能である。したがって、第４実施形態の車室内空調システム１は、空調装置の所定の吹出口から吹き出された空調風が車室内に拡散することを抑制し、効率の良い空調を実現することができる。
【００７０】
（第５実施形態）
第５実施形態について説明する。第５実施形態は、第４実施形態等に対してイオン風発生装置１０の筐体１１の構成等を変更したものであり、その他については第４実施形態等と同様であるため、第４実施形態等と異なる部分についてのみ説明する。
【００７１】
図７に示すように、第５実施形態のイオン風発生装置１０は、筐体１１が非帯電材料により形成されたものである。なお、第５実施形態でも、イオン風発生装置１０が設置される場所からイオン風が流れる場所に亘って設けられる内装表面４０は、非帯電材料により形成されている。
【００７２】
イオン風発生装置１０の筐体１１は、接地電極１３に電気的に接続されている。また、この筐体１１は、内装表面４０に対しても電気的に接続されている。したがって、筐体１１と接地電極１３と内装表面４０とは同電位とされている。
【００７３】
第５実施形態では、イオン風発生装置１０が設置される内装表面４０は、筐体１１を介して接地電極１３と電気的に接続される。そのため、この車室内空調システム１は、内装表面４０と車両のグランド３０とを電気的に接続するための配線を廃止することが可能である。したがって、第５実施形態の車室内空調システム１は、第４実施形態で説明した効率の良い空調を低コストで実現することができる。
【００７４】
また、第５実施形態では、筐体１１に静電気が帯電することが防がれる。そのため、乗員がイオン風発生装置１０の筐体１１に直接触れた場合でも、乗員が放電による痛みを感じることを防ぐことができる。
【００７５】
なお、第４、第５実施形態で説明したイオン風発生装置１０は、第１〜第３実施形態で説明した車室内空調システム１に適用することが可能である。
【００７６】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００７７】
（１）上記第１〜第３実施形態では、車室内空調システム１は、複数のイオン風発生装置１０を備えるものについて説明したが、これに限られない。車室内空調システム１は、１つのイオン風発生装置１０を備えているものでもよい。例えば、空調装置の吹出口から空調風を届けるための目的の場所までの距離が近い場合、１つのイオン風発生装置１０を用いて、その目的の場所に空調風を送ることや、その目的の場所で空調風を滞留させることも可能である。
【００７８】
（２）上記第１実施形態では、複数のイオン風発生装置１０は、車室内の内装表面４０のうち左前席６に着座する乗員の足の周囲に設置したが、これに限られない。複数のイオン風発生装置１０は、車室内の内装表面４０のうち右前席に着座する乗員の足を取り巻くような還流または渦流を形成するように、その右前席に着座する乗員の足の周囲に配置してもよい。
【００７９】
（３）上記第２、第３実施形態では、車室内空調システム１は、空調装置の専用吹出口８から吹き出された空調風を所定の場所に届ける構成について説明したが、これに限られない。車室内空調システム１は、空調装置のフェイス吹出口３、デフロスタ吹出口４、フット吹出口５等、既存の吹出口から吹き出された空調風を所定の場所に届ける構成としてもよい。
【００８０】
（まとめ）
上述の実施形態の一部または全部で示された第１の観点によれば、車室内の空調を行うための空調装置と共に車両に搭載される車室内空調システムは、１つまたは複数のイオン風発生装置を備えている。そのイオン風発生装置は、空調装置の吹出口から吹き出された空調風が流れる位置に設置され、その空調風が車室内の内装表面に沿って流れるようにコロナ放電による気流を生成する。
【００８１】
第２の観点によれば、複数のイオン風発生装置は、所定のイオン風発生装置と、別のイオン風発生装置とを含んでいる。所定のイオン風発生装置は、空調装置の吹出口から吹き出された空調風が直接当たる位置に設置される。別のイオン風発生装置は、所定のイオン風発生装置により生成された気流により空調風が流れる位置に設置される。
【００８２】
これによれば、所定のイオン風発生装置と別のイオン風発生装置は、空調風を順次送るように配置される。そのため、車室内空調システムは、複数のイオン風発生装置を使って、空調風を車室内の内装表面に沿って目的とする場所まで順次送ることや、空調風を渦流または還流等の所定の流れ形状にすることで目的の場所で滞留させることができる。
【００８３】
第３の観点によれば、複数のイオン風発生装置は、前席に着座する乗員の足を取り巻くような還流または渦流を形成するように、車室内の内装表面のうち前席に着座する乗員の足の周囲に設置される。
【００８４】
これによれば、空調装置のフット吹出口から吹き出された暖房風は、複数のイオン風発生装置により形成される気流により、乗員の足元で渦流または還流等の所定の流れ形状となって滞留する。そのため、乗員の足元から暖房風が上昇することが抑制されるので、少ない暖房風で乗員の足元を効率的に暖房することができる。
【００８５】
ところで、従来は、空調装置のフット吹出口から吹き出された暖房風が上昇すると、乗員の頭部が暑くなってしまうので、乗員の頭部に向けて冷風を吹き出すなどの対策が取られる場合があった。これに対し、この車室内空調システムは、乗員の足元から暖房風が上昇することが抑制されるので、乗員の頭部を冷やすための冷風を吹き出す必要が無くなるため、乗員の快適性を省エネルギーにより確保することができる。
【００８６】
第４の観点によれば、複数のイオン風発生装置は、空調装置の吹出口から吹き出された空調風を後席空間に届けるように、車室内天井の内装表面に設置される。
【００８７】
これによれば、空調装置の所定の吹出口から吹き出された空調風は、車室内天井の内装表面に設置される複数のイオン風発生装置により形成される気流により、車室内天井の内装表面に沿って後席空間に送られる。そのため、この車室内空調システムは、空調装置の吹出口から吹き出された空調風が車室内に拡散することを抑制し、後席空間に効率的に届けることが可能である。
【００８８】
また、この車室内空調システムは、ダクト等を用いることの無い簡素な構成で、空調風を後席空間に届けることが可能である。そのため、この車室内空調システムは、車室内空間を狭くすることのない省スペース、且つ、低コストで後席空間の快適性を高めることができる。
【００８９】
さらに、この車室内空調システムは、車室内天井に複数のイオン風発生装置を設置することで構成されるので、設計の自由度が高い。したがって、この車室内空調システムは、種々の車種に対して容易に搭載可能であり、且つ、車両のモデルチェンジ等にも容易に対応することが可能である。
【００９０】
第５の観点によれば、複数のイオン風発生装置は、天井側イオン風発生装置、およびラゲージルーム側イオン風発生装置を含んでいる。天井側イオン風発生装置は、空調装置の吹出口から吹き出された空調風をラゲージルームに届けるように、車室内天井の内装表面に設置される。ラゲージルーム側イオン風発生装置は、ラゲージルーム内を循環するような気流を形成するように、ラゲージルームの内装表面に設置される。
【００９１】
これによれば、空調装置の所定の吹出口から吹き出された空調風は、天井側イオン風発生装置により形成される気流により、車室内天井の内装表面に沿ってラゲージルームに送られる。そして、ラゲージルームに届けられた空調風は、ラゲージルーム側イオン風発生装置により形成されたラゲージルーム内を循環するような気流により、ラゲージルーム内で還流等の所定の流れ形状となって滞留する。そのため、この車室内空調システムは、例えば夏季などに、空調装置から吹き出された冷房風をラゲージルーム内に送り、そこで滞留させることで、ラゲージルーム内に搭載した荷物の温度の上昇を抑えることができる。
【００９２】
第６の観点によれば、イオン風発生装置は、車室内の臭気を除去可能な微量のオゾンを生成可能に調整されている。
【００９３】
これによれば、イオン風発生装置は、放電電極に印加される電圧等の調整により、オゾンを容易に発生させることが可能である。そのため、この車室内空調システムは、例えば、乗員の足元の空間や、ラゲージルーム内など、車室内の所定の場所の臭気を除去することで、車室内の快適性を高めることができる。
【００９４】
第７の観点によれば、イオン風発生装置は、空気入口および空気出口を有する筐体と、その筐体の内側に設けられる放電電極および接地電極を有するものである。イオン風発生装置が設置される場所からイオン風が流れる場所に亘って設けられる内装表面は、非帯電材料により形成されたものであり、接地電極が電気的に接続される車両のグランドに電気的に接続されている。
【００９５】
これによれば、内装表面と接地電極とが同電位になるので、イオン風発生装置から吹き出される気流は、電気力により内装表面に引き付けられる。そのため、この車室内空調システムは、イオン風発生装置から吹き出される気流が内装表面に沿って強く流れる領域を広げることが可能である。したがって、この車室内空調システムは、空調装置の吹出口から吹き出された空調風が車室内に拡散することを抑制し、効率の良い空調を実現することができる。なお、本明細書において、非帯電材料とは、静電気が帯電しない材料であり、具体的には表面抵抗率が１ＧΩ／□以下の材料をいう。
【００９６】
第８の観点によれば、筐体は、非帯電材料により形成され、接地電極に電気的に接続されている。イオン風発生装置が設置される場所からイオン風が流れる場所に亘って設けられる内装表面は、筐体に電気的に接続されている。
【００９７】
これによれば、内装表面は、筐体を介して接地電極と電気的に接続される。そのため、この車室内空調システムは、内装表面と車両のグランドとを電気的に接続するための配線を廃止して、内装表面と接地電極とを同電位にすることが可能である。したがって、この車室内空調システムは、効率の良い空調を低コストで実現することができる。
【符号の説明】
【００９８】
１                    車室内空調システム
３、４、５、８        吹出口
１０、１０ａ〜１０ｑ  イオン風発生装置
【図１】
2019188864.tif 000003
【図２】
2019188864.tif 000004
【図３】
2019188864.tif 000005
【図４】
2019188864.tif 000006
【図５】
2019188864.tif 000007
【図６】
2019188864.tif 000008
【図７】
2019188864.tif 000009